(57)【要約】【課題】導光板表面上のダークラインを有効に抑え、導光板の輝度の均一性を向上することができる光源装置を提供する【解決手段】  本発明の光源装置は、入射面を有する導光板と、入射面の近傍に設けられたライトチューブと、ライトチューブを覆うように入射面の周囲に設置された反射マスクとを有し、導光板の入射面に筋状部が設けられている。光束が導光板の筋状部に入射すると、光束の入射角度が改変され、その光束が発散又は収束され、これにより、導光板表面のダークラインが縮小し、また、その強度が低減し、導光板全体の輝度の均一性が向上される。【選択図】  図２
2006040617.tif 000002
【特許請求の範囲】
【請求項１】
入射面を有する導光板と、
前記入射面の近傍に設けられた少なくとも１つのライトチューブと、
前記ライトチューブを覆うように前記入射面の周囲に設置され、前記ライトチューブからの光束を前記導光板へ反射させる反射マスクと
を有し、
前記導光板の前記入射面の少なく一部に少なくとも１つの筋状部が設けられている
光源装置。
【請求項２】
前記筋状部の長さ方向は、前記ライトチューブの長さ方向に平行する
請求項１に記載の光源装置。
【請求項３】
前記筋状部は、前記ライトチューブに対応した位置に設置される
請求項１に記載の光源装置。
【請求項４】
前記筋状部は、前記ライトチューブの間の低光量区域に設置される
請求項１に記載の光源装置。
【請求項５】
前記筋状部は、前記ライトチューブから離れた低光量区域に設置される
請求項１に記載の光源装置。
【請求項６】
前記筋状部は、柱状レンズを形成する
請求項１に記載の光源装置。
【請求項７】
前記柱状レンズは、凹面レンズであり、前記ライトチューブから前記筋状部に入射した光束を発散させる
請求項６に記載の光源装置。
【請求項８】
前記柱状レンズは、凸面レンズであり、前記ライトチューブから前記筋状部に入射した光束を収束させる
請求項６に記載の光源装置。
【請求項９】
前記筋状部における筋の断面は、任意の幾何形状を有する
請求項１に記載の光源装置。  
【請求項１０】
前記筋状部の長さは、前記入射面の幅と略同じである
請求項１に記載の光源装置。  
【請求項１１】
前記ライトチューブの長さ方向は、前記導光板の前記入射面の幅方向に平行する
請求項１に記載の光源装置。
【請求項１２】
前記筋状部は、滑りブロックを用いた金型を利用し、射出成型により形成される
請求項１に記載の光源装置。
【請求項１３】
前記筋状部における各筋の形状及び間隔は、前記入射面に入射される光束の強度により設定される
請求項１に記載の光源装置。
【請求項１４】
入射面を有する導光板と、
前記入射面の近傍に設けられた少なくとも１つのライトチューブと、
前記ライトチューブを覆うように前記入射面の周囲に設置され、前記ライトチューブからの光束を前記導光板へ反射させる反射マスクと
を有し、
前記導光板の前記入射面に少なくとも１つの筋状部が設けられ、
前記筋状部の長さ方向は、前記ライトチューブの長さ方向に平行する
光源装置。
【請求項１５】
金型基板と、少なくとも１の滑りブロックとを有する金型を用い、１の側面に筋状模様が形成されているキャビティを形成する工程と、
材料を前記キャビティに注入して成型する工程と、
前記滑りブロックを移動し、前記金型を除去し、側面に筋状部を有する導光板を形成する工程と
を有する
導光板の製造方法。
【請求項１６】
前記滑りブロックは、前記金型基板の周辺部に設置され、
少なくとも１の前記滑りブロックの内側面に、目標となる筋状部と反対の模様が形成される
請求項１５に記載の導光板の製造方法。
【発明の詳細な説明】
【技術分野】
【０００１】
本発明は光源装置に関し、特に、光源装置の導光板に現れるダークラインを抑えることができる光源装置に関する。
【背景技術】
【０００２】
図１は、従来の液晶表示装置の光源装置を示す図である。
【０００３】
図１に示す光源装置は透明な導光板１を備え、導光板１の一サイド又は両サイドにライトチューブ２は設置され、導光板１へ照明光を発する。当該照明光は、導光板１内においてガイドされ、最後に導光板１の上面３から均一に射出され、液晶パネルを照明し、液晶パネルに映像を表示させる。
【０００４】
ライトチューブ２を中心とする光源部では、ライトチューブ２から離れた領域に、又は、ライトチューブ２が複数ある場合に、ライトチューブ２の間に、照明光の光量が低いので、この領域からの照明光は導光板１に入射すると、光量の低い区域（低光量区域）４が形成される。この低光量区域４は、導光板１内における光束の全反射につれて導光板１の他の端部へ伝播されながら、導光板１の表面にダークライン（dark line）５が多く形成される。これにより、導光板１の輝度の均一性が低下し、映像表示の品質に悪影響を与える。
【０００５】
一方、高輝度表示の要求に応えるために、多くのライトチューブ２を用いる構造が採用され、または、ライトチューブ２の間隔を増大し、低光量区域４の幅はより大きくなり、導光板１の表面に現れるダークライン５の数も増え又は幅がより広くなり、映像表示の品質に重大な影響を与える。
【０００６】
如何に導光板表面のダークラインを有効に抑え、導光板の輝度の均一性を向上させるかは研究課題である。
【発明の開示】
【発明が解決しようとする課題】
【０００７】
本発明の一の目的は、導光板表面上のダークラインを有効に抑え、導光板の輝度の均一性を向上させることができる光源装置を提供する。
【０００８】
本発明の他の目的は、導光板を容易に加工することができ、生産性が高い導光板の製造方法を提供する。
【課題を解決するための手段】
【０００９】
以上の目的を達成するために、本発明の光源装置は、入射面を有する導光板と、前記入射面の近傍に設けられた少なくとも１つのライトチューブと、前記ライトチューブを覆うように前記入射面の周囲に設置され、前記ライトチューブからの光束を前記導光板へ反射させる反射マスクとを有し、前記導光板の前記入射面の一部に少なくとも１つの筋状部が設けられている。
【００１０】
導光板の入射面に筋状部を設けることにより、ライトチューブからの光束が導光板の筋状部に入射すると、その光束は、入射角度が改変され、また、発散或いは収束され、これにより、導光板の表面のダークラインが縮小し、又は、強度が低減し、その結果、導光板全体の輝度の均一性が向上される。
【発明の効果】
【００１１】
本発明によれば、導光板の入射面に筋状部を設けることにより、導光板の筋状部に入射する光束は、入射角度が改変され、発散又は収束され、これにより、導光板の表面のダークラインが縮小し、又は、その強度が低減し、その結果、導光板全体の輝度の均一性が向上される。
【発明を実施するための最良の形態】
【００１２】
次に、添付した図面を参照しながら、本発明の面光源装置の実施形態を説明する。
【００１３】
図２は、本発明の実施形態に係る光源装置の斜視図である。
【００１４】
図２に示す光源装置は、透明な導光板１０を備え、導光板１０の入射面１２の近傍に少なくとも１つのライトチューブ２０は設置されており、反射マスク３０は、ライトチューブ２０を覆うように入射面１２の周囲に設置され、ライトチューブ２０からの光束を導光板１０へ反射させる。
【００１５】
導光板１０の入射面１２の全部又は一部に少なくとも１つの筋状部１３が設けられており、筋状部１３における各筋の形状及び間隔は、入射面１２に入射される光束の強度により設定される。筋状部１３の長さ方向は、ライトチューブ２０の長さ方向に平行し、また、筋状部１３の長さは、入射面１２の幅と略同じである。筋状部１３における各筋の断面は、三角形や半円形などの任意の幾何学形状を有する。また、筋状部１３は、柱状凹面レンズ又は柱状凸面レンズを形成する。筋状部１３は、ライトチューブ２０間の低光量区域４０に設置され、又は、ライトチューブ２０から離れた低光量区域４０に設置され、又は、ライトチューブ２０に対応して設置される。
【００１６】
導光板１０の入射面１２に筋状部１３を設けることにより、ライトチューブ２０からの光束が導光板１０の筋状部１３に入射すると、その光束の入射角度が変更される。その結果、導光板１０の表面１１のダークラインが縮小され、又は、その強度が低減される。
【００１７】
本実施形態において、筋状部１３は、ライトチューブ２０の長さ方向と平行して配置されるので、ライトチューブ２０からの光束が導光板１０の筋状部１３に入射すると、入射光の入射方向が上下方向に偏向され、導光板１０の上面から導出される。
【００１８】
図３は、本発明の実施形態に係る光源装置の側面図であり、筋状部１３の第一の例を示す。
【００１９】
図３に示すように、導光板１０の入射面１２上の筋状部１３は、ライトチューブ２０の間に設置され、凸面レンズ１３１を形成する場合は、筋状部１３に入射した光束は、凸面レンズ１３１の屈折効果により、低光量区域４０内の光束が収束され、低光量区域４０が徐々に縮小される。その結果、導光板１０の表面１１のダークライン５０は徐々に縮小される。なお、図３における破線は、従来の低光量区域の範囲を示す。
【００２０】
図４は、本発明の実施形態に係る光源装置の側面図であり、筋状部１３の第二の例を示す。
【００２１】
図４に示すように、導光板１０の入射面１２上の筋状部１３は、ライトチューブ２０の間に設置され、筋状部１３は凹面レンズ１３２を形成する場合は、筋状部１３に入射した光束は、凹面レンズ１３２の屈折効果により、低光量区域４０Ａに進行する光束が発散され、低光量区域４０Ａが拡大される。その結果、導光板１０の表面１１上のダークライン５０Ａが徐々に拡大されて弱くなり、導光板１０の輝度均一性が向上される。なお、図４における破線は、従来の低光量区域の範囲を示す。
【００２２】
図５は、本発明の実施形態に係る光源装置の側面図であり、筋状部１３の第三の例を示す。
【００２３】
図５に示すように、導光板１０の入射面１２上の筋状部１３は、ライトチューブ２０に対応して設置され、凹面レンズ１３２を形成する場合は、光量の高い光束は、筋状部１３に入射し、凹面レンズ１３２の屈折効果により発散され、明るい領域６０が拡大される。よって、ダークライン５０Ｂは、明るい領域６０に覆われ、ダークライン部分５０Ｂの輝度が増加され、かつ、導光板１０全体の輝度の均一性が向上される。なお、図５における破線は、従来の低光量区域の範囲を示す。
【００２４】
図６は、本発明の実施形態に係る導光板１０の製造方法を示すフローチャートである。
【００２５】
図７は、本発明の実施形態に係る導光板１０を製造するための金型の構造を示す斜視図である。
【００２６】
ステップＳ１において、図７に示すような滑りブロックを用いた金型を用意する。図７に示す金型は、上型、下型、その間の中間型７１、及び４つの滑りブロック７２Ａ、７２Ｂ、７２Ｃ、７２Ｄを含む。滑りブロック７２Ａ、７２Ｂ、７２Ｃ、７２Ｄは、中間型７１の周辺部に設置されており、滑りブロック７２Ａの内側面７２１Ａに、目標の筋状部１３と反対の模様７２２Ａが形成されており、よって、側面７２１Ａに筋状模様７２２Ａを有するキャビティ７３が形成される。
【００２７】
ステップＳ２において、材料をキャビティ７３に注入して成型する。
【００２８】
ステップＳ３において、上型と下型を開け、滑りブロック７２Ａ、７２Ｂ、７２Ｃ、７２Ｄを移動することにより、金型を除去する。
【００２９】
ステップＳ４において、側面１２に筋状部１３を有する導光板１０が形成される。
【００３０】
以上により、本発明において、滑りブロック７２Ａ、７２Ｂ、７２Ｃ、７２Ｄを用いた金型を利用して、射出成型により筋状部１３を有する導光板１０を形成することができるので、生産性が良く、かつ安定な品質が得られる。
【００３１】
以上、本発明の好ましい実施形態を説明したが、本発明はこの実施形態に限定されず、本発明の趣旨を離脱しない限り、本発明に対するあらゆる変更は本発明の範囲に属する。
【図面の簡単な説明】
【００３２】
【図１】従来の液晶パネルの光源装置を示す図である。
【図２】本発明の実施形態に係る光源装置の斜視図である。
【図３】本発明の実施形態に係る光源装置の側面図であり、筋状部１３の第一の例を示す。
【図４】本発明の実施形態に係る光源装置の側面図であり、筋状部１３の第二の例を示す。
【図５】本発明の実施形態に係る光源装置の側面図であり、筋状部１３の第三の例を示す。
【図６】本発明の実施形態に係る導光板の製造方法を示すフローチャートである。
【図７】本発明の実施形態に係る導光板を製造するための金型の構造を示す斜視図である。
【符号の説明】
【００３３】
１０        導光板
１１        上面
１２        入射面
１３        筋状部
１３１      凸面レンズ
１３２      凹面レンズ
２０        ライトチューブ
３０        反射マスク
４０，４０Ａ  低光量区域
５０、５０Ａ、５０Ｂ    ダークライン
６０        明るい領域
７１        中間型
７２Ａ、７２Ｂ、７２Ｃ、７２Ｄ    滑りブロック
７２１Ａ    側面
７２２Ａ    筋
７３        キャビティ
【図１】
2006040617.tif 000003
【図２】
2006040617.tif 000004
【図３】
2006040617.tif 000005
【図４】
2006040617.tif 000006
【図５】
2006040617.tif 000007
【図６】
2006040617.tif 000008
【図７】
2006040617.tif 000009